(57)【要約】【課題】  少なくとも２つ以上の相異なる記録媒体を各々採用する記録／再生部等とデジタル放送受信機とが一体化したコンビネーションシステムを提供することを目的とする。【解決手段】  本発明に係るコンビネーションシステムは、ハウジングと、前記ハウジング内に設けられ、第１記録媒体に情報を記録／再生させる第１記録／再生部と、前記ハウジング内に設けられ、前記第１記録媒体とは異なる第２記録媒体に情報を記録／再生させる第２記録／再生部と、前記ハウジング内に垂直に設けられ、外部からデジタル放送を受信するためのデジタル放送受信用モジュールとを含むことを特徴とする。【選択図】  図１
2005259337.tif 000002
【特許請求の範囲】
【請求項１】
ハウジングと、
前記ハウジング内に設けられ、第１記録媒体に情報を記録／再生させる第１記録／再生部と、
前記ハウジング内に設けられ、前記第１記録媒体とは異なる第２記録媒体に情報を記録／再生させる第２記録／再生部と、
前記ハウジング内に垂直に設けられ、外部からデジタル放送を受信するためのデジタル放送受信用モジュールとを含むことを特徴とするコンビネーションシステム。
【請求項２】
前記第１及び第２記録／再生部は、前記ハウジング内に互いに水平に配置され、
前記モジュールは、前記第１及び第２記録／再生部間に配置されたことを特徴とする請求項１記載のコンビネーションシステム。
【請求項３】
前記第１及び第２記録／再生部各々に電気的に接続される第１基板を更に含み、
前記モジュールは、
前記第１基板上に垂直に設けられる第２基板と、
前記第２基板に設けられ、外部アンテナからデジタル放送を受信するデジタルチューナーとを含むことを特徴とする請求項１記載のコンビネーションシステム。
【請求項４】
前記モジュールは、
前記第２基板を前記第１基板に垂直に支持させ、互いに信号伝達可能に接続するコネクターと、
前記第１基板と第２基板の各々に結合され、電気的に接続させる接地ブラケットとを更に含むことを特徴とする請求項３記載のコンビネーションシステム。
【請求項５】
前記コネクターと前記接地ブラケット各々は、前記第１及び第２基板各々に挿入されてハンダ付け結合することを特徴とする請求項４記載のコンビネーションシステム。
【請求項６】
前記第１記録媒体はディスクであり、前記第２記録媒体は磁気テープであることを特徴とする請求項１から請求項５のいずれかに記載のコンビネーションシステム。
【請求項７】
前記モジュールは、前記ハウジング内に垂直に設けられたことを特徴とする請求項１記載のコンビネーションシステム。
【発明の詳細な説明】
【技術分野】
【０００１】
本発明は２つ以上の相異なる装置を一つのシステムで連結したコンビネーションシステムに関する。
【背景技術】
【０００２】
２つ以上の相異なる装置が１つの統合されたシステムで連結されたことを'コンビネーションシステム（ｃｏｍｂｉｎａｔｉｏｎ  ｓｙｓｔｅｍ）'、または'コンボシステム（ｃｏｍｂｏ−ｓｙｓｔｅｍ）’といい、これを略称して'コンボ（ｃｏｍｂｏ）'という。コンボシステムの一例として、ＤＶＤＰ（ｄｉｇｉｔａｌ  ｖｉｄｅｏ  ｖｅｒｓａｔｉｌｅ  ｄｉｓｋ  ｐｌａｙｅｒ）の機能とＶＣＲ（ｖｉｄｅｏ  ｃａｓｓｅｔｔｅ  ｒｅｃｏｒｄｅｒ）の機能が複合的に遂行できるように開発されたＤＶＤ／ＶＣＲコンボシステムがある。
【０００３】
このようなＤＶＤ／ＶＣＲコンボシステムは、システム外観をなすハウジングと、そのハウジング内に設けられるＤＶＤＰユニットと、ＶＣＲユニットからなる。その中で、前記ＶＣＲユニットには外部のアンテナを介して受信されたアナログ方式の放送を有線を介して受信することができるアナログチューナーが設けられている。前記アナログチューナーをＴＶに接続してアナログ放送を視聴することができる。
【０００４】
一方、最近は、既存のアナログ方式よりは高画質及び高音響放送が提供できるデジタル放送が広く普及されている。係るデジタル放送を受信するためには、例えば、セットトップボックス（Ｓｅｔｏｐｂｏｘ）のような別途のデジタル放送受信機が必要となる。
【０００５】
また、地上派放送でない衛星放送を視聴するためには、別途の衛星放送受信用チューナーが装着されたデジタル放送受信機が必要となる。
【０００６】
このようなデジタル放送受信機は、通常、ＴＶに内蔵して販売されたり、別途の製品で販売され使われる。
【０００７】
ところが、相異なる機能を有する家電機器を別途の製品で生産及び販売することになると、生産コストと設置空間等の面において不具合がある。
【０００８】
従って、最近は、上述のように、２種類以上の製品を一体化したコンボシステムが活発に開発されている。そして、前記デジタル放送受信機までも含んで一つの製品で作られたコンボシステムの開発が切実に要求されることは当然である。
【発明の開示】
【発明が解決しようとする課題】
【０００９】
本発明は、前記のような問題点を解決するために案出したものであって、少なくとも２つ以上の相異なる記録媒体を各々採用する記録／再生部等とデジタル放送受信機とが一体化したコンビネーションシステムを提供することをその目的とする。
【課題を解決するための手段】
【００１０】
前記目的の達成のための本発明に係るコンビネーションシステムは、ハウジングと、前記ハウジング内に設けられ、第１記録媒体に情報を記録／再生させる第１記録／再生部と、前記ハウジング内に設けられ、前記第１記録媒体とは異なる第２記録媒体に情報を記録／再生させる第２記録／再生部と、前記ハウジング内に垂直に設けられ、外部からデジタル放送を受信するためのデジタル放送受信用モジュールとを含むことを特徴とする。
【００１１】
ここで、前記第１及び第２記録／再生部各々に電気的に接続する第１基板を更に含み、前記モジュールは、前記第１基板上に垂直に設けられる第２基板と、前記第２基板に設けられ、外部アンテナからデジタル放送を受信するデジタルチューナーとを含むことが好ましい。
【００１２】
また、前記モジュールは、前記第２基板を前記第１基板に垂直に支持させ、相互信号伝達可能に接続するコネクターと、前記第１基板と第２基板の各々に結合され、電気的に接続させる接地ブラケットとを更に含むことが好ましい。
【００１３】
また、前記コネクターと前記接地ブラケット各々は、前記第１及び第２基板各々に挿入されてハンダ付け結合することが好ましい。
【００１４】
また、前記第１記録媒体はディスクであり、前記第２記録媒体は磁気テープであることが好ましい。
【発明の効果】
【００１５】
本発明のコンビネーションシステムによれば、ＤＶＤＰアセンブリとＶＣＲアセンブリのような第１及び第２記録／再生部とデジタル放送受信機とを単一の部品で一体化することができるようになる。従って、より安価に３種類の機能を有するコンボ製品が製品化できる利点がある。
【００１６】
特に、デジタル放送受信用モジュールをハウジング内に垂直に設けることにより、ハウジングの内部の空間を増やさなくても良いので、製品のサイズが大きくなることが防止できるようになる。
【発明を実施するための最良の形態】
【００１７】
以下、添付の図面を参照しながら本発明の実施例に係るコンビネーションシステムを詳しく説明する。
【実施例】
【００１８】
図１は、本発明の実施例に係るコンビネーションシステムを示す概略斜視図であって、本発明の実施例に係るコンビネーションシステムは、ハウジング１０と、前記ハウジング１０内に設けられる第１記録／再生部２０と、前記ハウジング１０内に設けられる第２記録／再生部３０と、前記ハウジング１０内に設けられるデジタル放送受信用モジュール４０とを備える。
【００１９】
前記ハウジング１０は、コンビネーションシステムの外観をなすものであって、内部に所定の空間を有する。前記ハウジング１０は、下部ケース１１と、上部ケース１３及び全面パネル（図示せず）からなる。
【００２０】
本発明の実施例では、前記第１記録／再生部２０は、例えば、ディスクのような第１記録媒体に情報を記録／再生するＤＶＤＰアセンブリを例に挙げて説明する。即ち、前記第１記録／再生部２０はディスクをハウジングの内外にローディング／アンローディングさせるディスクトレー２１と、前記ディスクトレー２１に安着してローディングされたディスクをチャッキングするチャッキングユニット２３と、ディスクトレー２１によりローディングされたディスクを高速で回転させる駆動部（図示していない）と光ピックアップユニット（図示せず）等を含む。ここで、前記駆動部はスピンドルモータとターンテーブル等を含む。このような駆動部及び光ピックアップユニットの構成は一般的な構成であるから図面には詳細に示していなく、それ以上の詳細な説明も省略する。
【００２１】
また、前記第２記録／再生部３０は、前記第１記録媒体とは異なる第２記録媒体に情報を記録／再生するためのものであって、本発明の実施例ではＶＣＲアセンブリを例に挙げて説明する。従って、前記第２記録媒体は、磁気テープである。そして、前記第２記録／再生部３０は前記第１記録／再生部２０に隣り合ってハウジング１０内で水平に配置される。
【００２２】
一方、前記第２記録／再生部３０の一例として図示されたＶＣＲアセンブリの構成は公知の技術と類似している。
【００２３】
即ち、前記ＶＣＲアセンブリは、デッキフレーム３１上に設けられるヘッドドラム３１と、前記ヘッドドラム３１側にテープをローディング／アンローディングさせるテープローディング／アンローディングユニット３３と、テープの走行をガイドするガイドユニット３５と、テープカセットホルダーユニット３７等を備える。
【００２４】
また、前記ハウジング１０内には第１基板５０が設けられる。前記第１基板５０は、第１及び第２記録／再生部２０、３０各々の動作及び信号を処理するための基板であって、第１及び第２記録／再生部２０、３０の基板らを一つの基板で統合させた、いわゆる統合基板である。本発明の実施例では図２に示すように、前記第１基板５０が第２記録／再生部３０の下部に設けられ、基板５０の一部が第１記録／再生部２０の下部に位置する。
【００２５】
前記第１基板５０にはアナログチューナー５１が設けられる。このアナログチューナー５１は、外部アンテナから受信される放送信号中、必要なアナログ放送チャンネルの信号を選択、受信してＴＶで必要とする一定の周波数を伝送する。
【００２６】
前記デジタル放送受信用モジュール４０は、ハウジング１０内に垂直に設けられる。より好ましくは、前記モジュール４０は第１及び第２記録／再生部２０、３０間に配置される。従って、例えば、既存のＤＶＤ／ＶＣＲコンボシステムの構成において、製品のサイズを拡張させなくても前記モジュール４０がハウジング１０内に效果的に配置できるようになる。
【００２７】
前記モジュール４０は、第１基板５０上に垂直に設けられる第２基板４１と、 第２基板４１に支持されるデジタルチューナー４３とを備える。前記第２基板４１の第１面には所定の電子素子が配設され、第２面には前記デジタルチューナー４３が支持される。前記デジタルチューナー４３は、外部アンテナからデジタル信号を選択的に受信するための入力部４３ａと、受信された信号中、所定の信号を出力するための出力部４３ｂを有する。前記出力部４３ｂをＴＶに接続することにより、デジタル放送が視聴できるようになる。
【００２８】
図３は、図１に示している基板モジュールを抜粋して示す分離斜視図であって、 前記モジュール４０は第２基板４１と第１基板５０とを電気的に接続させるコネクター４５と、接地ブラケット４７とを更に備える。
【００２９】
前記コネクター４５は、第１及び第２基板５１、４１各々を直接接触支持させるホルダー４５ａと、ホルダー４５ａから延びて各基板５１、４１に結合される端子ピン４５ｂを有する。前記端子ピン４５ｂを通じて第１及び第２基板５１、４１が電気的に信号伝達可能に接続される。各基板５１、４１には各端子ピン４５ｂが挟まれる複数のピンホール５１ａ、４１ａが設けられる。ピンホール５１ａ、４１ａに端子ピン４５ｂが各々挟まれた後、ハンダ付けにより固定される。
【００３０】
前記接地ブラケット４７は、コネクター４５を挟まれて１対が設けられる。各接地ブラケット４７は、第１及び第２基板５１、４１各々に設けられた複数の接地ホール５１ｂ、４１ｂに挟まれて結合される。前記接地ホール５１ｂ、４１ｂに挟まれた接地ブラケット４７のハンダ付けにより固定される。
【００３１】
このように、前記コネクター４５と接地ブラケット４７各々は、第１基板５０と第２基板４１とを電気的に接続させると共に、第２基板４１が第１基板５０上に垂直に固定できるように支持する。
【００３２】
一方、本発明の実施例では第１記録／再生部２０がＤＶＤＰアセンブリであることを、第２記録／再生部３０がＶＣＲアセンブリであることを例に挙げて説明したが、これは例示に過ぎないのである。即ち、ＤＶＤＰアセンブリ、 ＶＣＲアセンブリ、ＨＤＤアセンブリ、ＤＶＤＲアセンブリ等のように、記録媒体を用いて情報を記録／再生させる機器ら中から少なくとも２つ以上の機器等とデジタル放送受信機とを一つのコンボ製品に適用することは当業者に当然なことと見ることができる。
【産業上の利用可能性】
【００３３】
本発明のコンビネーション システムは、相異なる２つ以上の記録媒体を使用することができるように構成された情報記録／再生装置に全て適用可能である。
【図面の簡単な説明】
【００３４】
【図１】本発明の実施例に係るコンビネーションシステムを示す概略斜視図である。
【図２】図１に示しているコンビネーションシステムの平面図である。
【図３】図１に示している基板モジュールを抜粋して示す分離斜視図である。
【符号の説明】
【００３５】
１０    ハウジング
２０    第１記録／再生部
３０    第２記録／再生部
４０    デジタル放送受信用モジュール
４１    第２基板
４３    デジタルチューナー
４５    コネクター
４７    接地ブラケット
５０    第１基板
５１    アナログチューナー
【図１】
2005259337.tif 000003
【図２】
2005259337.tif 000004
【図３】
2005259337.tif 000005